(57)【特許請求の範囲】
【請求項１】
ユーザ機器（ＵＥ）であって、
ロングタームエボリューションアンライセンススペクトル（ＬＴＥ−Ｕ）環境において使用されるべき、送信機ベースのＬＢＴプロトコル、又は受信機支援のＬＢＴプロトコルである現在のｌｉｓｔｅｎ  ｂｅｆｏｒｅ  ｔａｌｋ（ＬＢＴ）プロトコルを決定する処理回路と、
前記処理回路と連結される無線制御回路であって、前記現在のＬＢＴプロトコルに少なくとも部分的に基づいて信号を生成し、無線通信デバイスに前記信号を送信すべく、送受信機回路を制御する前記無線制御回路と、
を備え、
前記処理回路は、第１の検知結果と第２の検知結果とに少なくとも部分的に基づいて、前記現在のＬＢＴプロトコルを決定し、前記第１の検知結果は、アンライセンス無線通信媒体が、前記ＵＥにより複数の時間間隔の第１のセットで検知されるとアイドルであるか否かの指標を含み、前記第２の検知結果は、前記アンライセンス無線通信媒体が、複数の時間間隔の第２のセットで前記無線通信デバイスにより検知されるとアイドルであるか否かの指標を含む、ＵＥ。
【請求項２】
前記複数の時間間隔の第１のセット及び前記複数の時間間隔の第２のセットは同一である、請求項１に記載のＵＥ。
【請求項３】
前記処理回路は、
前記第１の検知結果と前記第２の検知結果との間の相関レベルを決定し、
前記相関レベルに少なくとも部分的に基づいて、前記現在のＬＢＴプロトコルを決定する、請求項１に記載のＵＥ。
【請求項４】
前記第１の検知結果は、前記ＵＥにより検知された前記アンライセンス無線通信媒体が、複数のＬＴＥ−Ｕ送信、複数のＷｉＦｉ送信、又は複数のＬＴＥ−Ｕ送信及び複数のＷｉＦｉ送信の両方に起因してアイドル又はビジーであるかの指標を含み、前記第２の検知結果は、前記無線通信デバイスにより検知された前記アンライセンス無線通信媒体が、複数のＬＴＥ−Ｕ送信、複数のＷｉＦｉ送信、又は複数のＬＴＥ−Ｕ及び複数のＷｉＦｉ送信の両方に起因してアイドル又はビジーであるかの指標を含む、請求項１に記載のＵＥ。
【請求項５】
前記現在のＬＢＴプロトコルは、第１の現在のＬＢＴプロトコルであって、前記処理回路は、第３の検知結果と第４の検知結果とに少なくとも部分的に基づいて、第２の現在のＬＢＴプロトコルを決定し、前記第３の検知結果は、前記アンライセンス無線通信媒体が、複数の時間間隔の第３のセットで前記ＵＥにより検知されるとアイドルであるか否かの指標を含み、前記第４の検知結果は、前記アンライセンス無線通信媒体が、複数の時間間隔の第４のセットで前記無線通信デバイスにより検知されるとアイドルであるか否かの指標を含み、前記処理回路は、前記第１の現在のＬＢＴプロトコルの決定に続いて、所定の期間が経過した後に、前記第２の現在のＬＢＴプロトコルを決定する、請求項１から４のいずれか１項に記載のＵＥ。
【請求項６】
前記無線通信デバイスは、進化型ノードＢ（ｅＮＢ）である、請求項１から４のいずれか１項に記載のＵＥ。
【請求項７】
前記無線通信デバイスは別のＵＥであって、前記無線制御回路は、デバイスツーデバイス（Ｄ２Ｄ）通信を使用して前記信号を送信すべく、前記送受信機回路を制御する、請求項１から４のいずれか１項に記載のＵＥ。
【請求項８】
処理回路と無線制御回路とを備える進化型ノードＢ（ｅＮＢ）であって、
前記処理回路は、
ロングタームエボリューションアンライセンススペクトル（ＬＴＥ−Ｕ）環境において使用されるべき現在のｌｉｓｔｅｎ  ｂｅｆｏｒｅ  ｔａｌｋ（ＬＢＴ）プロトコルを決定し、前記現在のＬＢＴプロトコルは、送信機ベースのＬＢＴプロトコル、又は受信機支援のＬＢＴプロトコルであって、
前記現在のＬＢＴプロトコルに少なくとも部分的に基づいて、ユーザ機器（ＵＥ）への送信のための信号を生成し、
前記処理回路に連結される前記無線制御回路は、前記信号を前記ＵＥに送信し、
前記処理回路は、第１の検知結果と第２の検知結果とに少なくとも部分的に基づいて、前記現在のＬＢＴプロトコルを決定し、前記第１の検知結果は、アンライセンス無線通信媒体が、複数の時間間隔の第１のセットで前記ｅＮＢにより検知されるとアイドルであるか否かの指標を含み、前記第２の検知結果は、前記アンライセンス無線通信媒体が、複数の時間間隔の第２のセットで前記ＵＥにより検知されるとアイドルであるか否かの指標を含む、ｅＮＢ。
【請求項９】
前記複数の時間間隔の第１のセット及び前記複数の時間間隔の第２のセットは同一である、請求項８に記載のｅＮＢ。
【請求項１０】
前記処理回路は、
前記第１の検知結果と前記第２の検知結果との間の相関レベルを決定し、
前記相関レベルに少なくとも部分的に基づいて、前記現在のＬＢＴプロトコルを決定する、請求項８に記載のｅＮＢ。
【請求項１１】
前記現在のＬＢＴプロトコルは、第１の現在のＬＢＴプロトコルであって、前記処理回路は、第３の検知結果と第４の検知結果とに少なくとも部分的に基づいて、第２の現在のＬＢＴプロトコルを決定し、前記第３の検知結果は、前記アンライセンス無線通信媒体が、複数の時間間隔の第３のセットで前記ｅＮＢにより検知されるとアイドルであるか否かの指標を含み、前記第４の検知結果は、前記アンライセンス無線通信媒体が、複数の時間間隔の第４のセットで前記ＵＥにより検知されるとアイドルであるか否かの指標を含み、前記処理回路は、前記第１の現在のＬＢＴプロトコルの決定に続いて、所定の期間が経過した後に、前記第２の現在のＬＢＴプロトコルを決定する、請求項８に記載のｅＮＢ。
【請求項１２】
前記第１の検知結果は、前記ｅＮＢにより検知された前記アンライセンス無線通信媒体が、複数のＬＴＥ−Ｕ送信、複数のＷｉＦｉ送信、又は複数のＬＴＥ−Ｕ送信及び複数のＷｉＦｉ送信の両方に起因してアイドル又はビジーであるかの指標を含み、前記第２の検知結果は、前記ＵＥにより検知された前記アンライセンス無線通信媒体が、複数のＬＴＥ−Ｕ送信、複数のＷｉＦｉ送信、又は複数のＬＴＥ−Ｕ送信及び複数のＷｉＦｉ送信の両方に起因してアイドル又はビジーであるかの指標を含む、請求項８に記載のｅＮＢ。
【請求項１３】
前記処理回路は、前記ＵＥをレギュラーグループ、又は隠れノードグループのうちの１つに分類し、前記処理回路は、前記ＵＥが前記レギュラーグループ又は前記隠れノードグループにあるかに少なくとも部分的に基づいて、前記現在のＬＢＴプロトコルを決定する、請求項８から１２のいずれか１項に記載のｅＮＢ。
【請求項１４】
前記処理回路は、前記ＵＥの位置に少なくとも部分的に基づいて、前記現在のＬＢＴプロトコルを決定する、請求項８から１２のいずれか１項に記載のｅＮＢ。
【請求項１５】
ユーザ機器（ＵＥ）に、
アンライセンス無線通信媒体がアイドルであるか否かの指標を含む第１の検知結果を生成すべく、前記アンライセンス無線通信媒体を検知させ、
前記アンライセンス無線通信媒体が、進化型ノードＢ（ｅＮＢ）により検知されるとアイドルであるか否かの指標を含む第２の検知結果を、前記ｅＮＢから受信させ、
前記第１の検知結果と前記第２の検知結果とに少なくとも部分的に基づいて、前記ＵＥが相関グループの一部であるか否かを決定させ、
前記第１の検知結果と前記第２の検知結果とに少なくとも部分的に基づいて、ロングタームエボリューションアンライセンススペクトル（ＬＴＥ−Ｕ）環境において使用されるべき、送信機ベースのＬＢＴプロトコル、又は受信機支援のＬＢＴプロトコルのうちの１つである現在のｌｉｓｔｅｎ  ｂｅｆｏｒｅ  ｔａｌｋ（ＬＢＴ）プロトコルを決定させ、
前記現在のＬＢＴプロトコルに少なくとも部分的に基づいて信号を送信させる、プログラム。
【請求項１６】
前記ＵＥは更に、前記第１の検知結果と前記第２の検知結果との間の相関レベルを決定させられ、前記相関レベルに少なくとも部分的に基づいて、前記ＵＥが前記相関グループの一部であるか否かを決定する、請求項１５に記載のプログラム。
【請求項１７】
前記相関レベルが、所定の閾値より大きいか又は等しいと決定されたことに応じて、前記ＵＥが前記相関グループの一部であることを決定する、請求項１６に記載のプログラム。
【請求項１８】
前記ＵＥは更に、前記相関グループの一部であるか否かを示す信号を前記ｅＮＢに送信させられる、請求項１５から１７のいずれか１項に記載のプログラム。
【請求項１９】
第１の無線通信デバイスに、
アンライセンス無線通信媒体がアイドルであるか否かの指標を含む第１の検知結果を生成すべく、前記アンライセンス無線通信媒体を検知させ、
前記アンライセンス無線通信媒体が、第２の無線通信デバイスにより検知されるとアイドルであるか否かの指標を含む第２の検知結果を受信させ、
前記第１の検知結果と前記第２の検知結果とに少なくとも部分的に基づいて、ロングタームエボリューションアンライセンススペクトル（ＬＴＥ−Ｕ）環境において使用されるべき、送信機ベースのＬＢＴプロトコル、又は受信機支援のＬＢＴプロトコルのうちの１つである現在のｌｉｓｔｅｎ  ｂｅｆｏｒｅ  ｔａｌｋ（ＬＢＴ）プロトコルを決定させ、
前記現在のＬＢＴプロトコルに少なくとも部分的に基づいて、信号を前記第２の無線通信デバイスに送信させる、
プログラム。
【請求項２０】
前記第１の無線通信デバイスは更に、前記第１の検知結果と前記第２の検知結果との間の相関レベルを決定させられ、前記第１の無線通信デバイスは、前記相関レベルに少なくとも部分的に基づいて、前記現在のＬＢＴプロトコルを決定する、請求項１９に記載のプログラム。
【請求項２１】
前記第１の無線通信デバイスは更に、前記相関レベルが、所定の閾値よりも下であると決定されたことに応じて、前記現在のＬＢＴプロトコルが、受信機支援のＬＢＴプロトコルであることを決定させられる、請求項２０に記載のプログラム。
【請求項２２】
前記現在のＬＢＴプロトコルは、第１の現在のＬＢＴプロトコルであって、前記第１の無線通信デバイスは更に、前記第１の現在のＬＢＴプロトコルの決定に続いて、所定の期間が経過した後に、第２のＬＢＴプロトコルを決定させられる、請求項２０又は２１に記載のプログラム。
【請求項２３】
請求項１５から２２のいずれか１項に記載のプログラムを格納したコンピュータ可読記録媒体。
【発明の詳細な説明】
【技術分野】
【０００１】
［関連出願に対する相互参照］  本願は、「ＡＤＡＰＴＩＶＥ  ＬＢＴ  ＢＡＳＥＤ  ＯＮ  ＳＥＮＳＩＮＧ  ＥＮＶＩＲＯＮＭＥＮＴ  ＬＥＡＲＮＩＮＧ」と題する、２０１４年４月２８日に出願された、米国仮特許出願第６１／９８５，３８９号の優先権を主張し、その全体の開示は、本明細書と一致しない複数の項がもしあれば、それらを除いて、その全体において、あらゆる目的で参照としてここで組み込まれる。
【０００２】
本開示の複数の実施形態は概して、無線通信の分野に、より具体的には、アンライセンススペクトルを使用して通信を可能とするための複数の装置及び複数の方法に関連する。
【背景技術】
【０００３】
本明細書において提供される背景説明は、概して本開示の背景を提示するためである。本明細書において別段の指示がない限り、この項で説明される複数のマテリアルは、本願における複数の請求項に対する従来技術ではなく、それらがこの項に含まれることによって、従来技術であるとも、又は従来技術の示唆であるとも認められない。
【０００４】
通常のロングタームエボリューション（ＬＴＥ）システムは、対応するＬＴＥサービスプロバイダ（又はオペレータ）のみに付与されるスペクトルを利用し、ライセンススペクトルにおけるＬＴＥ、又は単にＬＴＥと呼ばれる。無線ブロードバンドデータに対する需要の急増に起因して、ＬＴＥシステムのデータスループットを向上させるため、様々なアプローチが検討されている。検討中の１つのアプローチは、アンライセンススペクトル及びライセンススペクトルを経由して、データを送信すべく、ＬＴＥシステムを使用することである。アンライセンススペクトルにおいて動作するＬＴＥシステムは頻繁に、アンライセンススペクトルにおけるＬＴＥ、又はＬＴＥ−Ｕと呼ばれる。アンライセンススペクトルは典型的に、ＩＥＥＥ８０２．１１ｘ（ＷｉＦｉ）のような他の複数の無線アクセス技術（ＲＡＴ）、又は異なる複数のオペレータにより展開される同一のＲＡＴと共有される。従って、ＬＴＥ−Ｕの複数の設計問題の１つは、無線通信媒体とも呼ばれるスペクトルを、どのように他の複数のＲＡＴ及び／又は複数のオペレータと効率的に共有するかということである。
【図面の簡単な説明】
【０００５】
複数の実施形態は、複数の添付図面と併せて、以下の詳細な説明によって容易に理解されよう。この説明を容易にすべく、同様の参照番号は、同様の構造要素を示す。複数の実施形態は、例として示されており、複数の添付図面の図において限定されるものではない。
【図１】様々な実施形態に従って、無線通信システムを概略的に示す。
【図２】様々な実施形態に従って、進化型ノードＢ（ｅＮＢ）及びＵＥの複数の構成要素を示す、概略ブロック図である。
【図３】いくつかの実施形態に従って、ｌｉｓｔｅｎ  ｂｅｆｏｒｅ  ｔａｌｋ（ＬＢＴ）プロトコルを選択する方法のフローチャートである。
【図４】いくつかの実施形態に従って、複数の検知結果の相関性に少なくとも部分的に基づいて、ＬＢＴプロトコルを選択する方法のフローチャートである。
【図５】本明細書において説明される様々な実施形態を実施するのに使用され得る、例示的なコンピューティングデバイスのブロック図である。
【図６】様々な実施形態に従って、本開示の複数の態様を組み込む複数のプログラミング命令を有する、製造物品を示す。
【発明を実施するための形態】
【０００６】
以下の詳細な説明において、本明細書の一部を形成する複数の添付図面への参照が行われ、全体を通して同様の数字は同様の部分を指定し、実施され得る複数の実施形態が例として示される。複数の他の実施形態が用いられ得、本開示の範囲を逸脱することなく、複数の構造的又は論理的変更が行われ得るということが理解されるべきである。
【０００７】
特許請求の範囲の主題を理解する上で最も役立つような態様で、様々な動作が複数の別個のアクション又は動作として順に説明され得る。  しかしながら、説明の順序は、これらの動作が必ず順序に依存すると示唆するものと解釈されるべきではない。特に、これらの動作は提示の順序で実行され得ない。説明される複数の動作は、説明された実施形態とは異なる順序で実行され得る。様々な追加の動作が実行され得、及び／又は、説明された複数の動作は、複数の追加の実施形態においては省略され得る。
【０００８】
本開示の目的のために、「Ａ及び／又はＢ」という表現は、（Ａ）、（Ｂ）又は（Ａ及びＢ）を意味する。本開示の目的のために、「Ａ、Ｂ、及び／又はＣ」という表現は、（Ａ）、（Ｂ）、（Ｃ）、（Ａ及びＢ）、（Ａ及びＣ）、（Ｂ及びＣ）、又は（Ａ、Ｂ、及びＣ）を意味する。本説明は、「一実施形態において」又は「複数の実施形態において」という表現を使用し得、それぞれ同一又は異なる複数の実施形態のうちの１又は複数を参照し得る。更に、「備える」、「含む」、「有する」等の用語は、本開示の複数の実施形態に関して使用されるように、同義語である。
【０００９】
本明細書において使用されるように、「回路」という用語は、１又は複数のソフトウェア又はファームウェアのプログラムを実行する特定用途向け集積回路（ＡＳＩＣ）、電子回路、プロセッサ（共有、専用、又はグループ）、及び／又はメモリ（共有、専用、又はグループ）、説明された機能を提供する組み合わせ論理回路、及び／又は他の複数の適切なハードウェアコンポーネントを参照し得、それらの一部であり得、又はそれらを含み得る。 
【００１０】
図１は、様々な実施形態に従って、本開示の教示によるＬＢＴプロトコル決定を組み込む無線通信システム１００を概略的に示す。無線通信システム１００は、バックボーンネットワーク１１０、セルラーモバイルネットワーク１２０、及びデバイスツーデバイス（Ｄ２Ｄ）ネットワーク１３０を含み得る。Ｄ２Ｄネットワーク１３０は、セルラーモバイルネットワーク１２０を使用して通信をもし得る複数のＵＥ１３２、１３４および１３６を含み得る。
【００１１】
バックボーンネットワーク１１０は、様々なサブネットワークを相互接続し、これらのサブネットワーク間の情報交換のためのパスを提供するコンピュータネットワークインフラストラクチャの一部であり得る。様々な実施形態において、バックボーンネットワーク１１０は、インターネットバックボーン１１２を含み得、それは、インターネット上の大型で戦略的に相互接続された複数のコンピュータネットワークと複数のコアルータとの間の複数の主要データルートを含み得る。
【００１２】
セルラーモバイルネットワーク１２０は、バックボーンネットワーク１１０とデータ通信をし得る。様々な実施形態において、セルラーモバイルネットワーク１２０は、モバイル通信用グローバルシステム（ＧＳＭ（登録商標））、汎用パケット無線サービス（ＧＰＲＳ）、ユニバーサルモバイルテレコミュニケーションシステム（ＵＭＴＳ）、高速パケットアクセス（ＨＳＰＡ）、進化型ＨＳＰＡ（Ｅ−ＨＳＰＡ）、又はロングタームエボリューション（ＬＴＥ）ネットワークのような１又は複数の無線アクセスネットワークを含み得る。いくつかの実施形態において、無線アクセスネットワークは、ＧＳＭ（登録商標）進化型高速データレート（ＥＤＧＥ）無線アクセスネットワーク（ＧＥＲＡＮ）、ユニバーサル地上無線アクセスネットワーク（ＵＴＲＡＮ）、又は進化型ＵＴＲＡＮ（Ｅ−ＵＴＲＡＮ）を含み得る。セルラーモバイルネットワーク１２０は、他の複数の実施形態において、他の複数のネットワーク技術に従って動作し得る。
【００１３】
モバイル通信技術は、基地局と無線通信デバイスとの間でデータを送信すべく、様々な規格及びプロトコルを頼り得る。複数の無線通信システム規格及びプロトコルは、例えば、３ＧＰＰ  ＬＴＥと、ワールドワイドインターオペラビリティフォーマイクロウェーブアクセス（ＷｉＭＡＸ）として業界団体に一般的に知られる米国電気電子学会（ＩＥＥＥ）８０２．１６規格と、Ｗｉ−Ｆｉ（登録商標）として業界団体に一般的に知られているＩＥＥＥ８０２．１１規格とを含み得る。３ＧＰＰ無線アクセスネットワーク（ＲＡＮ）において、ＬＴＥでは、基地局は、進化型ノードＢ（また、一般的にｅＮｏｄｅＢ又はｅＮＢとも示される）と呼ばれ得る。それは、ユーザ機器（ＵＥ）として知られる無線通信デバイスと通信し得る。本開示では、概して複数の３ＧＰＰシステム及び規格向けの用語及び複数の例が提示されるが、本明細書において開示される教示は、無線ネットワーク又は通信規格の任意のタイプに適用され得る。
【００１４】
様々な実施形態において、セルラーモバイルネットワーク１２０は、ｅＮＢ１２４と、無線ネットワークコントローラ（ＲＮＣ）及びレガシーノードＢ（ＮＢ）１２６と、複数のモビリティ管理エンティティ（ＭＭＥ）及び複数のサービングゲートウェイ（ＳＧＷ）１２２と、複数のサービングＧＰＲＳサポートノード（ＳＧＳＮ）１２８とを含み得る。ｅＮＢ１２４は、ＵＭＴＳネットワークのような３Ｇネットワークにおいて使用され得るレガシーＮＢ１２６よりも多くの機能を含み得る。例えば、ＲＮＣ機能は、個別のＲＮＣエンティティにあるのではなく、ｅＮＢ１２４に位置され得る。ＬＴＥにおいて、ｅＮＢ１２４は、複数のｅＮＢが情報を転送又は共有することを可能とするＸ２インターフェースによって別のｅＮＢに接続し得る。いくつかの実施形態において、セルラーモバイルネットワーク１２０は、インターネットプロトコル（ＩＰ）ベースのネットワークであり得、複数のネットワークエンティティ（例えば、ｅＮＢ１２４及びＭＭＥ／ＳＧＷ１２２）間の複数のインターフェースは、ＩＰに基づき得る。いくつかの実施形態において、ＭＭＥ／ＳＧＷ１２２は、ＳＩインターフェースによってｅＮＢ１２４と通信し得る。ＳＩインターフェースは、３ＧＰＰ技術仕様書（ＴＳ）３６．４１０  Ｖ１１．１０（２０１３−０９）において定義されるようなＳＩインターフェースと同様であり得、ＭＭＥ／ＳＧＷ１２２とｅＮＢ１２４との間の多対多のリレーションをサポートし得る。例えば、異なる複数のオペレータが、ネットワーク共有設定において、同一のｅＮＢを同時に作動し得る。いくつかの実施形態において、ｅＮＢ１２４と複数のＵＥとの間の通信が、ＭＭＥ／ＳＧＷ１２２を介して容易にされ得る。ＭＭＥ／ＳＧＷ１２２は、例えば、ＵＥ１３２のようなＵＥの認証等、複数のシグナル交換を管理し、又はＵＥ１３２とセルラーモバイルネットワーク１２０との接続モードを確立すべく、通信リンクの確立と関連付けられる他の複数の動作を実行するように構成され得る。いくつかの実施形態において、ＭＭＥ／ＳＧＷ１２２は、例えば、ＵＥ１３２がアイドルモードにあるときに、ユーザ機器を追跡し、ページングすることを担い得る。
【００１５】
説明をし易くするため、本明細書における様々な説明は、通信システム１００において３ＧＰＰに準拠すべく提供される。しかしながら、本開示の主題は、この点に限定されず、本明細書において開示される複数の実施形態は、他の複数の有線又は無線通信プロトコル又はネットワークに有利に適用され得る。例えば、セルラーモバイルネットワーク１２０がＵＴＲＡＮを含む実施形態において、ｅＮＢ１２４は、ＮＢを介して、（以下で更に詳細に説明される）ＵＥ１３２、１３４又は１３６と通信するように構成された無線ネットワークコントローラ（ＲＮＣ）を表し得る。セルラーモバイルネットワーク１２０がＧＥＲＡＮを含む実施形態において、ｅＮＢ１２４は、ｂａｓｅ  ｔｒａｎｓｍｉｓｓｉｏｎ  ｓｔａｔｉｏｎ（ＢＴＳ）を介して、ＵＥ１３２、１３４又は１３６と通信するように構成された基地局コントローラ（ＢＳＣ）を表し得る。
【００１６】
様々な実施形態において、ＵＥ１３２は、複数の基地局の１つ、例えば、ｅＮＢ１２４を有する無線リンクを介して、セルラーモバイルネットワーク１２０にアクセスし得る。ダウンリンク（ＤＬ）送信は、ｅＮＢ１２４からＵＥ１３２への通信であり得る。アップリンク（ＵＬ）送信は、ＵＥ１３２からｅＮＢ１２４への通信であり得る。説明をし易くするため、限られた数のＵＥ及びｅＮＢのみが図１に示される。しかしながら、通信システム１００は、任意の数のＵＥ、ｅＮＢ、又は他の複数のサーバを含み得、その一方で、本開示の適切な複数の実施形態を実行する。例として、いくつかの実施形態において、セルラーモバイルネットワーク１２０はまた、マシン型通信（ＭＴＣ）を容易にすべく、ＭＴＣサーバ（図示せず）のような他の複数のサーバを含み得る。
【００１７】
いくつかの実施形態において、ＵＥ１３４は、別のマシンと通信するように構成され得る。データは、人間の介在を殆ど、又は全く必要とすることなく、ＵＥ１３４から別のマシンへと送信され得、又は別のマシンからＵＥ１３４へと受信され得る。例えば、ＵＥ１３４は、電気的に無線送受信機に連結されるセンサであり得（例えば、図２を参照して以下に説明される送受信機回路２２４）、殆ど又は全く介入されることなく、別のマシン（例えば、別のセンサ）と通信するように構成され得る。いくつかの実施形態において、ＵＥ１３４の無線送受信機はまた、無線メトロポリタンエリアネットワーク（ＷＭＡＮ）、無線ローカルエリアネットワーク（ＷＬＡＮ）、又は無線パーソナルエリアネットワーク（ＷＰＡＮ）のうちの少なくとも１つと通信するように構成され得る。
【００１８】
いくつかの実施形態において、ＵＥ１３６は、モバイル通信デバイス、加入者ステーション、又は適切なプロトコル（例えば、多入力／多出力（ＭＩＭＯ）通信方式）に従って、例えばｅＮＢ１２４を介して、セルラーモバイルネットワーク１２０と通信するように構成された別のデバイスであり得る。以下で更に詳細に説明されるように、ＵＥ１３２、１３４、及び／又は１３６は、Ｄ２Ｄ機能を有効にするように構成され得る。複数の実施形態において、Ｄ２Ｄ機能はまた、サイドリンク直接通信（ＳＬ）と呼ばれ得る。
【００１９】
様々な実施形態において、ＵＥ１３２、ＵＥ１３４、及びＵＥ１３６は、Ｄ２Ｄネットワーク１３０を形成し得る。Ｄ２Ｄネットワーク１３０において、近接する２つのＵＥは、ｅＮＢ１２４又は任意の他の複数の基地局、及び複数のセルラーモバイルネットワークの助けなしで互いに直接通信し得る。複数のデバイス間の直接通信は、一般的にＤ２Ｄ直接通信、又はピアツーピア（Ｐ２Ｐ）通信として知られている。様々な実施形態において、Ｄ２Ｄ通信は、複数のＵＥにより直接確立され得、又はｅＮＢにより少なくとも部分的に容易にされ得る。
【００２０】
Ｄ２Ｄネットワーク１３０におけるＤ２Ｄオペレーションは、セルラーモバイルネットワーク１２０に対して非透過的であり得、セルラースペクトル（例えば、帯域内）、又はアンライセンススペクトル（例えば、帯域外）で起こり得る。Ｄ２Ｄネットワーク１３０におけるＤ２Ｄオペレーションは、異なる複数の通信技術において実現され得る。いくつかの実施形態において、Ｂｌｕｅｔｏｏｔｈ（登録商標）又はＷｉ−Ｆｉ（登録商標）のような複数の短距離技術が使用され得る。いくつかの実施形態において、Ｄ２Ｄオペレーションは、ライセンスＬＴＥスペクトル、又はアンライセンスＬＴＥスペクトルを再利用し得る。
【００２１】
図２は、無線通信環境におけるｅＮＢ２１０及びＵＥ２２０の複数の構成要素を示す概略ブロック図であり、それらは、様々な実施形態を伴う、本開示が教示するＬＢＴプロトコル決定を組み込む。ｅＮＢ２１０は、図１のｅＮＢ１２４と同様であり得、実質的にそれと交換可能であり得る。実施形態において、ｅＮＢ２１０は、１又は複数のアンテナ２１８、及び通信モジュール２１２を含み得る。様々な実施形態において、通信モジュール２１２内の送受信機回路２１４、無線制御回路２１５、及び処理回路２１６は、示されるように、互いに連結され得る。同様に、ＵＥ２２０は、図１のＵＥ１３２、１３４又は１３６と同様であり得、及び実質的に交換可能であり得る。複数の実施形態において、ＵＥ２２０は、１又は複数のアンテナ２２８、及び通信モジュール２２２を含み得る。様々な実施形態において、通信モジュール２２２内の送受信機回路２２４、無線制御回路２２５、及び処理回路２２６は、示されるように、互いに連結され得る。
【００２２】
様々な実施形態において、ｅＮＢ２１０の処理回路２１６、又はＵＥ２２０の処理回路２２６は、ＬＴＥ−Ｕ環境において使用されるべき現在のＬＢＴプロトコルを決定し得、現在のＬＢＴプロトコルは、ＴｘベースのＬＢＴプロトコル又はＲｘ支援のＬＢＴプロトコルに少なくとも部分的に基づく。ｅＮＢ２１０の無線制御回路２１５、又はＵＥ２２０の無線制御回路２２５は、信号を無線通信デバイスに送信するために、決定された現在のＬＢＴプロトコルに少なくとも部分的に基づいて信号を生成し得、それぞれ送受信機回路２１４又は送受信機回路２２４を制御し得る。複数の実施形態において、無線制御回路２１５は、送信（例えば、符号化）、及び受信（例えば、復号指示）の両方において機能し得る。
【００２３】
送受信機回路２１４は、ｅＮＢ２１０へ、又はそこからの複数の信号の無線の通信を容易にすべく、複数のアンテナ２１８と連結され得る。送受信機回路２１４の複数の動作は、フィルタリング、増幅、格納、切り替えなどを含み得るが、それらに限定されない。様々な実施形態において、送受信機回路２１４は、複数のアンテナ２１８への信号に適切な特性を持たせる様々な信号処理動作を提供するように構成され得る。いくつかの実施形態において、送受信機回路２１４は、Ｄ２Ｄオペレーション性能を有する複数のＵＥと通信するように構成され得る。送受信機回路２１４は、ｅＮＢ２１０の他の複数の構成要素への送信のため、及び／又は処理回路２１６による内部処理のため、複数のアンテナ２１８から複数の信号を受信するように構成され得る。
【００２４】
処理回路２１６は、サービングセルの複数のＵＥ、例えば、ＵＥ２２０に対する構成及び制御情報を、生成し得、構成及び制御情報を、送受信機回路２１４を介して複数のＵＥに送信する、複数の信号を生成し得る。構成及び制御情報は、例えば、ダウンリンクチャネル情報、ダウンリンク制御情報（ＤＣＩ）、無線リソース制御（ＲＲＣ）構成情報などを含み得る。いくつかの実施形態において、そのような構成及び制御情報は、ＵＥ２２０のＤ２Ｄ発見、Ｄ２Ｄ通信、又はＤ２Ｄリレー機能のうちの少なくとも１つをアクティブ化すべく、システム情報ブロック（ＳＩＢ）メッセージを含み得る。
【００２５】
通信モジュール２１２と同様に、ＵＥ２２０とｅＮＢ２１０との間で、又はＵＥ２２０と別のＵＥとの間での複数の信号の無線の通信を容易にすべく、通信モジュール２２２は、複数のアンテナ２２８と連結され得る。例えば、送受信機回路２２４は、複数のアンテナ２２８への信号に適切な特性を持たせる様々な信号処理動作を提供するように構成され得る。様々な実施形態において、送受信機回路２２４の複数の動作は、フィルタリング、増幅、格納、切り替えなどを含み得るが、それらに限定されない。送受信機回路２２４は、複数のアンテナ２１８から複数の信号を受信するように構成され得、次に、複数の信号をＵＥ２２０の他の複数の構成要素に送信し得、及び／又は処理回路２２６による内部処理のために複数の信号を送信し得る。
【００２６】
いくつかの実施形態において、ＵＥ２２０は、複数のそれぞれのコンポーネントキャリアの複数の無線リソースを同時に利用すべく、１又は複数のアンテナ２２８を含み得る。ＵＥ２２０は、（例えば、ダウンリンク通信において）直交周波数分割多元接続（ＯＦＤＭＡ）、及び／又は（例えば、アップリンク通信において）シングルキャリア周波数分割多元接続（ＳＣ−ＦＤＭＡ）を使用して通信するように構成され得る。いくつかの実施形態において、ＵＥ２２０は、ＬＴＥ  ＰｒｏＳｅ又はＬＴＥダイレクトを介して、別のＵＥと通信すべく、送受信機回路２２４を使用し得る。
【００２７】
いくつかの実施形態において、通信モジュール２２２は、それと連結され得る１又は複数の加入者識別モジュール（ＳＩＭ）（図示せず）に対する複数の通信サービスを提供するように構成され得る。いくつかの実施形態において、複数のＳＩＭは、通信モジュール２２２と取り外し可能に連結され得る。他の複数の実施形態において、複数のＳＩＭは、ＵＥ２２０と恒久的に連結されるハードウェア及び／又はファームウェアであり得る。様々な実施形態において、複数のＳＩＭは、複数のフルサイズＳＩＭ、複数のミニＳＩＭ、複数のマイクロＳＩＭ、複数のナノＳＩＭ、複数の内蔵ＳＩＭ、及び／又は複数の仮想ＳＩＭを含み得る。
【００２８】
複数のＳＩＭは、国際モバイル加入者識別（ＩＭＳＩ）のような加入者識別情報と、ＵＥ２２０を使用する１又は複数の加入者を特定して認証するのに使用される複数の関連キーとをセキュアに格納する複数の集積回路であり得る。それぞれのＳＩＭは、異なる加入者識別情報と関連付けられ得、異なる複数のキャリアと関連付けられ得、又は関連付けられ得ない。様々な実施形態において、ＩＭＳＩ及び関連情報は、Ｄ２Ｄ発見及びＤ２Ｄオペレーションを容易にするのに使用され得る。
【００２９】
送受信機回路２２４、及び／又は処理回路２２６のいくつか又は全ては、例えば、図５に関して以下で説明されるような、無線周波数（ＲＦ）回路、又はベースバンド回路に含まれ得る。様々な実施形態において、ＵＥ２２０は、単一のセンサデバイス、携帯電話、パーソナルコンピュータ（ＰＣ）、ノートブック、ウルトラブック、ネットブック、スマートフォン、ウルトラモバイルＰＣ（ＵＭＰＣ）、手持ち式モバイルデバイス、ユニバーサル集積回路カード（ＵＩＣＣ）、パーソナルデジタルアシスタント（ＰＤＡ）、顧客構内設備（ＣＰＥ）、タブレットコンピューティングデバイス、又は複数のＭＰ３プレーヤ、複数のデジタルカメラ等のような他の複数の家庭用電化製品であり得、それらを含み得、又はそれらに含まれ得る。いくつかの実施形態において、ＵＥは、ＩＥＥＥ８０２．１６ｅ（２００５）若しくは８０２．１６ｍ（２００９）、若しくはＩＥＥＥ８０２．１６規格のいくつかの他の改訂により定義されるようなモバイルステーション、又は、３ＧＰＰ  ＬＴＥリリース８（２００８）、リリース９（２００９）、リリース１０（２０１１）、リリース１２（開発中）若しくはいくつかの他の改訂若しくは３ＧＰＰ  ＬＴＥ規格のリリースにより定義されるようなユーザ機器を含み得る。
【００３０】
媒体が効率的に共有されるようにＬＴＥ−Ｕを実装するための可能なアプローチは、ＬＢＴプロトコル（又はキャリアセンスマルチプルアクセスウィズコリジョンアボイダンス（ＣＳＭＡ／ＣＡ））を採用することである。ＬＢＴ方式で、ＬＴＥ送信機（例えば、ｅＮＢ２１０）は、データを送信する前に媒体を検知する。媒体がアイドルであることが検知される場合、送信機はデータを送信する。そうでなければ、送信機は、所定の期間待機し、チャネル検知手順を繰り返す。ＬＢＴ方式のこのタイプは、送信機ベースのＬＢＴ（ＴｘベースのＬＢＴ）と呼ばれ得る。
【００３１】
ＴｘベースのＬＢＴのみを使用することに関連する問題は、送信機が場合によっては、他の複数の送信機による継続中の複数の送信を検出することを可能とし得ないことであるかもしれないが、対象の受信機（例えば、ＵＥ２２０）はそれらを検出することが可能であり得る。この問題は、隠れノード問題と呼ばれ得る。隠れノード問題は、送信要求／送信許可（ＲＴＳ／ＣＴＳ）プロトコルを使用することにより、軽減され得る。ＲＴＳ／ＣＴＳプロトコルの概要は以下のとおりである。（ｉ）送信機は、媒体がアイドルであると検出するときにＲＴＳ信号を送信し、（ｉｉ）対象の受信機がＲＴＳ信号を一旦検出すると、媒体がアイドルであることが検知される場合にＣＴＳ信号を送信し、（ｉｉｉ）送信機がＣＴＳ信号を検出する場合、データを送信する。ＲＴＳ／ＣＴＳプロトコルのような、受信機が送信機に媒体を検知する手助けをするＬＢＴ方式は、受信機支援のＬＢＴ（Ｒｘ支援のＬＢＴ）と呼ばれ得る。複数の実施形態において、ＴｘベースのＬＢＴ、及び／又はＲｘ支援のＬＢＴの複数の変形が使用され得る。
【００３２】
ＲＴＳ／ＣＴＳのようなＲｘ支援のＬＢＴは、いくつかの例において、隠れノード問題を軽減し得るが、その追加的なオーバヘッド（例えば、送信機が、媒体を正確に検知することが出来、追加のハンドシェーキングが必要とされないとき）に起因して、場合によっては、性能を低下させる。様々な実施形態において、図３又は図４に関して説明されるようなアダプティブＬＢＴ方式は、Ｔｘベース又はＲｘ支援のＬＢＴ方式が使用されるべきであるか否かを送信デバイスが決定することを可能とするよう使用され得る。複数の実施形態において、アダプティブＬＢＴ方式は、異なる複数の配置シナリオに従って適切なＬＢＴメカニズムを調整することにより、ユーザスループット、システムスループット、及び／又は遅延性能のようなシステム性能を向上し得る。
【００３３】
図３は、ＬＴＥアンライセンススペクトル環境においてＬＢＴプロトコルを選択し、選択されたＬＢＴプロトコルに少なくとも部分的に基づいて通信を行う方法３００のフローチャートである。ブロック３０２では、方法３００は、検知環境を学習することを含み得る。複数の実施形態において、検知環境は、ｅＮＢ２１０のような送信デバイスと、ＵＥ２２０のような受信デバイスとの間の複数の検知結果を共有すること（例えば、複数の送受信機間の複数の検知結果のフィードバック又は交換）により学習され得る。複数の実施形態において、送信機（例えば、ＬＴＥ−Ｕ  ｅＮＢ）及び受信機（例えば、ＬＴＥ−Ｕ  ＵＥ）の両方は、複数の時間間隔のセットで（例えば、１秒間に１０ミリ秒毎）、ワイヤレス無線通信媒体を検知し得る。複数の実施形態において、送信機及び受信機は、複数の時間間隔のセットで、通信媒体を同時に検知し得る。複数の時間間隔は、セル固有（例えば、システム情報により構成される）、ＵＥ固有（例えば、ＲＲＣシグナリングを経由する）、又は複数のＵＥのグループに特有であり得る。複数の間隔のセットは、測定間隔、及びフィードバック又は交換の期間を含み得る（例えば、Ｙ番目毎の無線フレーム毎のＸ番目の直交周波数分割多重化方式（ＯＦＤＭ）シンボル毎）。複数の実施形態において、複数の検知間隔は、任意の実際の複数のＬＴＥ−Ｕ送信から独立し得る。複数の実施形態において、送信機及び受信機は、複数の検知結果を共有し得、又は、複数の検知結果又は統計値を一方に報告し得る。
【００３４】
複数の実施形態において、ＵＥ２２０のようなＵＥ（又は、ＵＥ及びｅＮＢの両方）は、複数の時間インスタンスの所定の過去の数（例えば、Ｚ）、例えばＺ＝１００時間インスタンスに対する、複数の検知結果を報告又は交換し得る。複数の実施形態において、複数の検知結果は、ビジー又はアイドル（ビジー／アイドル）のどちらかであり得る。複数のビジー／アイドル検知結果について、報告は、Ｚビット長のビットマップであり得る。他の複数の実施形態において、複数の検知結果は、アイドル／ＬＴＥ−Ｕ／ＷｉＦｉ／Ｂｏｔｈであり得、「ＬＴＥ−Ｕ」は、媒体が、他のＬＴＥ−Ｕ送信に起因してビジーであることを示す。同様に、「ＷｉＦｉ」は、媒体が、他のＷｉＦｉ送信に起因してビジーであることを示す。「Ｂｏｔｈ」は、媒体が、ＬＴＥ−Ｕ及びＷｉＦｉの複数の送信に起因してビジーであることを示す。複数の実施形態において、アイドル／ビジー状態情報に加えて、複数の干渉ソースの情報は、ｅＮＢでのスケジューラがより細かなスケジューリングポリシーを決定する手助けをし得る。例えば、スケジューラは、干渉ソースがＷｉＦｉでなくＬＴＥ−Ｕである場合、媒体がビジーであるときでさえ、データ送信（例えば、物理ダウンリンク共有チャネル（ＰＤＳＣＨ））をスケジューリングし得る。アイドル／ＬＴＥ−Ｕ／ＷｉＦｉ／Ｂｏｔｈの複数の検知結果について、報告は、２×Ｚビットのサイズを有するビットマップのような報告メッセージであり得る。
【００３５】
複数の実施形態において、検知報告は、非周期的な態様で、ｅＮＢによりトリガされ得る。他の複数の実施形態において、検知報告は周期的であり得る。検知報告は、様々な実施形態において、物理アップリンク制御チャネル（ＰＵＣＣＨ）において送信され得る。検知報告に対する周期性及びサブフレームオフセットの構成は、様々な実施形態において、上位層シグナリングによって提供されるような態様で構成され得る。
【００３６】
複数の実施形態において、送信機（例えば、ｅＮＢ２１０）は、それ自体の格納された複数の検知結果を、ＵＥの検知報告と比較し得、対応するＵＥの現在の検知環境について学習し得る。決定ブロック３０４では、ＴｘベースのＬＢＴが受け入れ可能であるか否かが決定され得る。複数の実施形態において、ｅＮＢとＵＥとの間の複数の検知結果が高度に相関する場合、ｅＮＢは、ｅＮＢとＵＥとの間の複数の検知環境が非常に類似していると決定し得、ＴｘベースのＬＢＴが十分な正確性を提供することから、それが使用可能であることを決定し得る。ｅＮＢとＵＥとが高度に相関しない場合、ｅＮＢは、特定の受信機（検知報告と関連付けられた特定のＵＥ）の検知環境がｅＮＢのものとは異なり、従って、Ｒｘ支援のＬＢＴが使用に望ましいと決定し得る。従って、複数の実施形態において、送信機は、使用されるべき現在のＬＢＴプロトコルを決定すべく、送信機及び受信機の複数の検知結果の間の相関レベルに少なくとも部分的に基づいて、ブロック３０６でＴｘベースのＬＢＴを、又はブロック３０８でＲｘ支援のＬＢＴを選択し得る。複数の実施形態において、相関レベルは、ＴｘベースのＬＢＴが受け入れ可能であることを示す所定の相関レベルと比較され得る。相関レベルは、様々な実施形態において、ピアソンの相関係数のような相関係数により示され得る。相関係数が、所定の閾値（例えば、０．９）より大きいか又は等しい場合、ＴｘベースのＬＢＴが受け入れ可能であることが決定され得る。他の複数の閾値、相関レベルの他の複数の指標、又は他の複数の比較方法は、様々な実施形態において使用され得る。様々な実施形態において、ｅＮＢ２１０の処理回路２１６、又はＵＥ２２０の処理回路２２６は、ブロック３０２、決定ブロック３０４、ブロック３０６、又はブロック３０８のうち１又は複数で、複数の処理を実行し得る。
【００３７】
概して、複数のＵＥは、それらの地理的位置に応じて、アンライセンスチャネル環境を異なって参照し得るので、Ｒｘ支援のＬＢＴが使用されるべきか否かに関して、全てのＵＥに適用する決定を下すことが困難となる。複数の実施形態において、ｅＮＢのような送信機は、複数のＵＥを２つのグループに分類し得る。２つのグループは、相関性のあるグループ（又はレギュラーグループ）、及び非修正グループ（又は隠れノードグループ）であり得る。複数のＵＥの相関性のあるグループは、ｅＮＢと同様にアンライセンスチャネル環境を参照するものであり得る。言い換えると、これらのＵＥとｅＮＢとの間の複数の検知結果は、高度に相関し得る。非修正グループは、これらのＵＥとｅＮＢとの間の複数の検知結果により高度に相関しないと決定され得るように、ｅＮＢとは異なってアンライセンスチャネル環境を参照する複数のＵＥのグループであり得る。複数の実施形態において、カテゴリー化は、ピアソンの相関係数のような相関係数により示され得る相関レベルに少なくとも部分的に基づき得、ｅＮＢによる複数の検知結果は第１の変数に対応し、ＵＥによる複数の検知結果は第２の変数に対応し、相関係数は、２つの変数の共分散を、それらの標準偏差で割ったものである。相関係数が、所定の閾値（例えば、０．９）より大きいか又は等しい場合、対応するＵＥは、様々な実施形態において、相関性のあるグループに分類され得る。様々な実施形態において、他の複数の閾値が使用され得、相関レベルの他の複数の指標、又は他の複数の比較方法が使用され得る。
【００３８】
既に分類された複数のＵＥに関して、ｅＮＢは、ＴｘベースのＬＢＴにのみ基づいて、相関性のあるグループにおける複数のＵＥに、データを直ちに送信し始め得る。非修正グループにおける複数のＵＥに関して、ｅＮＢは、追加のＲｘ支援のＬＢＴを要求又は構成し得る。ＵＥのカテゴリー化は、特定の期間にわたり、複数のＵＥから複数の検知測定報告に少なくとも部分的に基づいて実行され得る。ＵＥカテゴリー化は、様々な実施形態において、周期的に、又は必要な場合に更新され得る。更新間隔は、個々のＵＥ及びｅＮＢの複数の検知結果間の相関性の変化率に少なくとも部分的に基づいて決定され得る。いくつかの実施形態において、ＵＥカテゴリー化は、関連付けられた複数のＵＥからの検知結果フィードバックに少なくとも部分的に基づいて、上記のようにｅＮＢを中心に実行され得る。ＵＥカテゴリー化はまた、様々な実施形態において、ｅＮＢから発信されるその複数の検知結果についての情報に少なくとも部分的に基づいて、それぞれのＵＥで、分配的に及び／又は独立して実行され得る。ｅＮＢから複数の検知結果を受信すると、それぞれのＵＥは、複数のｅＮＢ検知結果をそれ自体の複数の検知結果と比較し得、自身を相関性のある、又は非修正グループのメンバとして示し得る。分配的な方式で決定が行われる複数の実施形態において、複数のＵＥからｅＮＢへの生の検知データフィードバックは送信され得ないが、ＵＥは、それ自体が相関性のある、又は非修正グループにあることを示したか否かという決定結果がｅＮＢに送り返され得る。
【００３９】
複数の実施形態において、ｅＮＢのような送信機は、複数のＵＥを、それらの位置に少なくとも部分的に基づいてグループ化し得る。ｅＮＢは、ＵＥの位置に少なくとも部分的に基づいて、望ましいＬＢＴ方式（Ｔｘベース又はＲｘ支援）についての複数のＵＥからの情報を収集及び蓄積し得る。複数の実施形態において、ｅＮＢは、検知環境マップを生成し得る。複数の実施形態において、検知環境マップは、複数の通常のエリア、複数の隠れノードエリア、及び複数の不確定エリアを含み得る。複数の通常エリアでは、エリア内の全てのＵＥが相関性のあるグループに分類され得、複数の隠れノードエリアでは、エリア内の全てのＵＥが非修正グループに分類され得、複数の不確定エリアでは、相関性のある又は非修正の複数のＵＥが混在し得、又はＵＥは分類されていない。新たなＵＥが、ｅＮＢに関連付けられたネットワークに参加するとき、ｅＮＢは、既知の複数のＵＥへのその近接性に少なくとも部分的に基づいて、新たに参加したＵＥを分類し得る。複数の実施形態において、ｅＮＢは、新たに参加したＵＥが、レギュラーグループに分類された複数のＵＥにごく接近している、又は検知環境マップの通常のエリア内にある場合、そのＵＥをレギュラーグループに分類し得、ｅＮＢは、新たに参加したＵＥが、高度に相関しない検知データを有する複数のＵＥにごく接近している、又は検知環境マップの隠れノードエリア内にある場合、そのＵＥを非修正グループに分類し得る。複数の実施形態において、新たに参加したＵＥが、相関する及び非修正び複数のＵＥの両方に比較的等しく近接している場合、又は新たに参加したＵＥが、検知環境マップの不確定エリアにいる場合、ｅＮＢは、新たなカテゴリー化を実行すべく、新たに参加したＵＥから検知データを要求し得る。複数の実施形態において、新たに参加した複数のＵＥが複数のカテゴリーのうち１つのみからの複数のＵＥとごく接近している、又は検知環境マップの通常の又は隠れノードエリアに位置する場合、ｅＮＢは、新たに参加ＵＥからの検知データを使用することなくカテゴリー化を実行し得る。
【００４０】
ブロック３０２で検知環境を学習した後で、方法３００は、決定ブロック３０４へ進み得、そこでは、ＴｘベースのＬＢＴプロトコルが受け入れ可能であるか否かを決定することを含み得る。決定ブロック３０４で、ＴｘベースのＬＢＴが受け入れ可能であることが決定された場合、方法３００は、ブロック３０６へ進み得、そこでは、ＴｘベースのＬＢＴプロトコルとなるべき現在のＬＢＴプロトコルを決定することを含み得る。決定ブロック３０４で、ＴｘベースのＬＢＴが受け入れ可能でないことが決定された場合、方法３００は、ブロック３０８へ進み得、そこでは、Ｒｘ支援のＬＢＴプロトコルとなるべき現在のＬＢＴプロトコルを決定することを含み得る。現在のＬＢＴプロトコルが決定された後で、方法３００は、決定ブロック３１０へ進み得、そこでは、ワイヤレス無線通信媒体がアイドルであるかどうかを、決定された現在のＬＢＴプロトコルを使用して決定することを含み得る。ワイヤレス無線通信媒体がアイドルである場合、方法３００は、ブロック３１２へ進み得、そこではデータを送信することを含み得る。様々な実施形態において、ワイヤレス無線通信媒体がアイドルでない場合、方法３００は、１００ミリ秒のように、所定の期間待機し得、次に、ワイヤレス無線通信媒体がアイドルであるか否かを再び決定し得る（決定ブロック３１０でループ（図示せず））。いくつかの実施形態において、ワイヤレス無線通信媒体がアイドルでない場合、方法はブロック３０２に戻り得る。  複数の実施形態において、データがブロック３１２で送信された後に、方法３００はブロック３０２に戻り得る。いくつかの実施形態において、送信デバイスは、次回データが送信される際に、現在のＬＢＴプロトコルが検知環境を再び学習せずに使用されるように、所定の期間、決定された現在のＬＢＴプロトコルを保持し得る。複数の実施形態において、現在のＬＢＴプロトコルは、例えば現在のＬＢＴプロトコルが決定されてから所定の期間が過ぎている場合に、ブロック３０２に戻ることにより、周期的に更新され得る。複数の実施形態において、ブロック３０２、決定ブロック３０４、ブロック３０６、ブロック３０８、決定ブロック３１０、又はブロック３１２のうち１又は複数に対する複数の繰返し期間は、セル固有又はＵＥ固有の態様において異なり得る。いくつかの実施形態において、複数の繰返し期間は同一であり得る。様々な実施形態において、ｅＮＢ２１０の無線制御回路２１５、又はＵＥ２２０の無線制御回路２２５は、現在のＬＢＴプロトコルに少なくとも部分的に基づいて信号を生成し得、ブロック３１２で信号を送信すべく送受信機回路を制御し得る。
【００４１】
図４は、いくつかの実施形態に従って、複数の検知結果の相関性に少なくとも部分的に基づいて、ＬＢＴプロトコルを選択する方法４００のフローチャートである。ブロック４０２で、方法４００は、無線通信媒体を検知することを含み得る。複数の実施形態において、通信媒体は、図１のｅＮＢ１２４、又は図２のｅＮＢ２１０のような送信デバイスにより検知され得る。複数の実施形態において、通信媒体は、所定の回数の時間間隔で検知され得る。複数の実施形態において、通信媒体の電力レベルは、所定の回数の時間間隔において、毎回ｅＮＢ２１０のような送信デバイスにより検知され得る。ブロック４０４で、方法４００は、第１の検知結果を生成することを含み得る。複数の実施形態において、第１の検知結果は、所定の回数の時間間隔において、毎回通信媒体がアイドル又はビジーであると検知されたか否かを示すビットマップであり得る。複数の実施形態において、通信媒体は、検知された電力レベルが、所定の閾値レベルより下である場合、アイドルとして示され得る。他の複数の実施形態において、第１の検知結果は、通信媒体がアイドルか、複数のＬＴＥ−Ｕ送信に起因してビジーか、複数のＷｉＦｉ送信に起因してビジーか、又は複数のＬＴＥ−Ｕ送信及び複数のＷｉＦｉ送信の両方に起因してビジーであると検知されたか否かを示すビットマップであり得る。ブロック４０６で、方法４００は、第２の検知結果を受信することを含み得る。複数の実施形態において、第２の検知結果は、ＵＥ２２０のような受信デバイスから、ｅＮＢ２１０のような送信デバイスで受信され得る。第２の検知結果は、通信媒体が、所定の回数の時間間隔において、毎回ＵＥ２２０のような受信デバイスにより検知されると、アイドル／ビジー、又はアイドル／ＬＴＥ−Ｕ／ＷｉＦｉ／Ｂｏｔｈであると検知されたか否かを示すビットマップであり得る。複数の実施形態において、第１の検知結果及び第２の検知結果を生成するのに使用される複数の時間間隔は、同一であり得る。複数の実施形態において、ブロック４０２、ブロック４０４、及びブロック４０６は、図３のブロック３０２で検知環境を学習することに対応する。
【００４２】
ブロック４０８で、方法４００は、第１の検知結果と第２の検知結果との間の相関性を決定することを含み得る。複数の実施形態において、相関性は、ピアソンの相関係数のような相関係数を計算することにより決定され得る。相関性は、様々な実施形態において、他の複数の方法で決定され得る。決定ブロック４１０で、方法４００は、相関性が所定の閾値よりも上であるか否かを決定することを含み得る。複数の実施形態において、ブロック４０８及び決定ブロック４１０は、ＴｘベースのＬＢＴが、図３の決定ブロック３０４で受け入れ可能であるか否かを決定することに対応する。
【００４３】
決定ブロック４１０で、相関性が所定の閾値よりも上であると決定された場合、方法４００は、ブロック４１２へ進み得、そこでは、ＴｘベースのＬＢＴプロトコルを選択することを含み得る。決定ブロック４１０で、相関性が所定の閾値よりも上ではないと決定された場合、方法４００は、ブロック４１４へ進み得、そこでは、Ｒｘ支援のＬＢＴプロトコルを選択することを含み得る。使用されるべき現在のＬＢＴプロトコルは、ブロック４１２又はブロック４１４で選択されたプロトコルに少なくとも部分的に基づいて決定され得る。データは、図３のブロック３１２に関して説明されたような、決定されたプロトコルに少なくとも部分的に基づいて、送信され得る。決定ブロック４１６で、方法４００は、現在のＬＢＴプロトコルが再び決定されるべきか否かを決定することを含み得る。決定ブロック４１６で、現在のＬＢＴプロトコルが再び決定されるべきではないと決定された場合、方法４００は、決定ブロック４１６にてループで待機し得る。決定ブロック４１６で、現在のＬＢＴプロトコルが再び決定されるべきであると決定された場合、方法４００は、ブロック４０２に戻り得る。複数の実施形態において、現在のＬＢＴプロトコルは、決定ブロック４１６で所定の期間待機した後で、決定され得る。様々な実施形態において、ｅＮＢ２１０の処理回路２１６、又はＵＥ２２０の処理回路２２６は、方法４００の複数のブロック又は複数の決定ブロックに関して説明された複数の処理のうち１又は複数を実行し得る。
【００４４】
図３の方法３００及び図４の方法４００に関して説明されたように、送信機はｅＮＢであり得、受信機はＵＥであり得るが、様々な実施形態において、複数の送受信機の任意のペアは、送信機及び受信機として機能し得る。複数の実施形態において、送信機又は受信機は、ＬＴＥ  ＵＥ（例えば、ＵＥ１３２、１３４、１３６又は２２０）、ｅＮＢ（例えば、ｅＮＢ１２４又は２１０）、ＷｉＦｉステーション、ＷｉＦｉアクセスポイントなどであり得る。複数の実施形態において、図３の方法３００又は図４の方法４００は、アンライセンスバンドにおいてデバイスツーデバイス（Ｄ２Ｄ）通信を使用して複数のＵＥ間で実行され得、そこでは、２つの（又はそれより多い）ＵＥ（例えば、ＵＥ１３２及びＵＥ１３４）が直接互いに通信し、一方のＵＥが送信機になり、他方は受信機になる。ＬＢＴは、複数のＵＥ間のデータ送信及び受信前に実行され得、他の複数のＲＡＴとの媒体のより効率的な共有を可能とする。複数の実施形態において、ｅＮＢは、どのＬＢＴ方式（ＴｘベースのＬＢＴ又はＲｘ支援のＬＢＴ）を適用するか決定することにおいて、複数のＤ２Ｄ  ＵＥを支援し得る。複数の実施形態において、ｅＮＢは、２つの（又はそれより多い）ＵＥの複数の位置、及びどちらのＬＢＴ方式が特定の複数の位置に適切であるかに関連する情報を理解し得、この情報に少なくとも部分的に基づいて、複数のＤ２Ｄ  ＵＥに、適切なＬＢＴ方式を知らせ得る。複数の実施形態において、ＴｘベースのＬＢＴのデフォルトモードが確立され得、必要であれば、図３の方法３００又は図４の方法４００に少なくとも部分的に基づいて決定されるように、Ｒｘ支援のＬＢＴが有効とされ得、又はＲｘ支援のＬＢＴが、拡張モードのＴｘベースのＬＢＴに置き換えられ得る。
【００４５】
ＵＥ２２０又はｅＮＢ２１０は、図２に関連して説明されたように、要望通りに構成された任意の適切なハードウェア、ファームウェア、及び／又はソフトウェアを使用してシステムに実装され得る。図５は、一実施形態について、少なくとも示されるように互いに連結される、無線周波数（ＲＦ）回路５０４、ベースバンド回路５０８、アプリケーション回路５１２、メモリ／ストレージ５１６、ディスプレイ５２０、カメラ５２４、センサ５２８、及び入力／出力（Ｉ／Ｏ）インターフェース５３２を含む例示的なシステム５００を示す。
【００４６】
アプリケーション回路５１２は、１又は複数のシングルコアの、又はマルチコアのプロセッサのような回路を含み得るが、それらに限定されない。プロセッサは、複数の汎用プロセッサ及び専用プロセッサ（例えば、複数のグラフィックスプロセッサ、アプリケーションプロセッサなど）の任意の組み合わせを含み得る。複数のプロセッサは、メモリ／ストレージ５１６と連結され得、メモリ／ストレージ５１６に格納された複数の命令を実行するよう構成され得、システム５００上で実行される様々なアプリケーション及び／又はオペレーティングシステムを有効とする。
【００４７】
ベースバンド回路５０８は、１又は複数のシングルコア又はマルチコアプロセッサのような回路を含み得るが、それらに限定されない。プロセッサは、ベースバンドプロセッサを含み得る。ベースバンド回路５０８は、ＲＦ回路５０４を介して１又は複数の無線ネットワークとの通信を可能にする様々な無線制御機能を処理し得る。複数の無線制御機能は、信号変調、符号化、復号化、無線周波数シフトなどを含み得るが、それらに限定されない。いくつかの実施形態において、ベースバンド回路５０８は、１又は複数の無線技術と互換性のある通信を提供し得る。例えば、いくつかの実施形態において、ベースバンド回路５０８は、Ｅ−ＵＴＲＡＮ、及び／又は他のＷＭＡＮ、ＷＬＡＮ、又はＷＰＡＮとの通信をサポートし得る。ベースバンド回路５０８が１より多い無線プロトコルの複数の無線通信をサポートするように構成された複数の実施形態は、マルチモードベースバンド回路と呼ばれ得る。
【００４８】
様々な実施形態において、ベースバンド回路５０８は、ベースバンド周波数にあると厳密にみなされない複数の信号で動作する回路を含み得る。例えば、いくつかの実施形態において、ベースバンド回路５０８は、ベースバンド周波数と無線周波数との間にある中間周波数を有する複数の信号で動作する回路を含み得る。
【００４９】
いくつかの実施形態において、図２の処理回路２１６又は２２６は、アプリケーション回路５１２及び／又はベースバンド回路５０８において具現化され得る。  複数の実施形態において、図２の無線制御回路２１５又は２２５は、ベースバンド回路５０８において具現化され得る。
【００５０】
ＲＦ回路５０４は、非ソリッド媒体を経由して、変調された電磁放射を使用して、無線ネットワークとの通信を可能にし得る。  様々な実施形態において、ＲＦ回路５０４は、複数のスイッチ、複数のフィルタ、複数の増幅器などを含み得、無線ネットワークとの通信を容易にする。
【００５１】
様々な実施形態において、ＲＦ回路５０４は、無線周波数にあると厳密にみなされない複数の信号で動作する回路を含み得る。例えば、いくつかの実施形態において、ＲＦ回路５０４は、ベースバンド周波数と無線周波数との間の中間周波数を有する複数の信号で動作する回路を含み得る。
【００５２】
いくつかの実施形態において、図２の送受信機回路２１４又は２２４は、ＲＦ回路５０４において具現化され得る。複数の実施形態において、図２の無線制御回路２１５又は２２５は、ＲＦ回路５０４において具現化され得る。
【００５３】
いくつかの実施形態において、ベースバンド回路５０８、アプリケーション回路５１２、及び／又はメモリ／ストレージ５１６の複数の構成要素のうちいくつか又は全ては、システムオンチップ（ＳＯＣ）で共に実装され得る。
【００５４】
メモリ／ストレージ５１６は、例えば、システム５００に対する、データ及び／又は複数の命令をロード及び格納するのに使用され得る。一実施形態に対するメモリ／ストレージ５１６は、適切な揮発性メモリ（例えば、ダイナミックランダムアクセスメモリ（ＤＲＡＭ））、及び／又は非揮発性メモリ（例えば、フラッシュメモリ）の任意の組み合わせを含み得る。
【００５５】
様々な実施形態において、Ｉ／Ｏインターフェース５３２は、システム５００とのユーザインタラクションを可能とすべく１又は複数のユーザインターフェース、及び／又はシステム５００との周辺機器コンポーネントインタラクションを可能とすべく１又は複数の周辺機器コンポーネントインターフェースを含み得る。複数のユーザインターフェースは、物理キーボード、キーパッド、タッチパッド、スピーカ、マイクなどを含み得るが、それらに限定されない。複数の周辺機器コンポーネントインターフェースは、非揮発性メモリポート、ユニバーサルシリアルバス（ＵＳＢ）ポート、オーディオジャック、電源インターフェースを含み得るが、それらに限定されない。
【００５６】
様々な実施形態において、センサ５２８は、環境条件、及び／又はシステム５００に関連する位置情報を決定すべく１又は複数の検知デバイスを含み得る。いくつかの実施形態において、複数のセンサは、ジャイロセンサ、加速度計、近接センサ、環境光センサ、測位ユニットを含み得るが、それらに限定されない。測位ユニットはまた、ベースバンド回路５０８及び／又はＲＦ回路５０４の一部であり得、又はそれらとインタラクトし得、測位ネットワーク、例えば、グローバル測位システム（ＧＰＳ）衛星の複数のコンポーネントと通信する。
【００５７】
様々な実施形態において、ディスプレイ５２０は、ディスプレイ、例えば、液晶ディスプレイ、タッチスクリーンディスプレイなどを含み得る。いくつかの実施形態において、カメラ５２４は、異なる分散及び屈折率を用いて作られた多くの成型プラスチック非球面レンズの要素を含み得る。いくつかの実施形態において、カメラ５２４は、ステレオ写真撮影について複数の３次元画像を撮像すべく、２つ又はそれより多いレンズを含み得る。
【００５８】
様々な実施形態において、システム５００は、例えば、ラップトップコンピューティングデバイス、タブレットコンピューティングデバイス、ネットブック、ウルトラブック、スマートフォンなどのモバイルコンピューティングデバイスであり得るが、それらに限定されない。様々な実施形態において、システム５００は、多かれ少なかれ複数のコンポーネント、及び／又は異なる複数のアーキテクチャを有し得る。
【００５９】
図６は、様々な実施形態に従って、本開示の複数の態様を組み込む、複数のプログラミング命令を有する製造物品６１０を示す。様々な実施形態において、製造物品は、本開示の様々な実施形態を実装すべく採用され得る。  示されるように、製造物品６１０は、複数の命令６３０が、本明細書において説明される複数の処理の任意の複数の実施形態、又は本明細書において説明される複数の処理の任意の１つの複数の実施形態の複数の態様を実施するように構成され得る、コンピュータ可読非一時的記憶媒体６２０を含み得る。記憶媒体６２０は、フラッシュメモリ、ダイナミックランダムアクセスメモリ、スタティックランダムアクセスメモリ、光学ディスク、磁気ディスクなどを含むが、それらに限定されない、当分野で知られる広範囲の永続的記憶媒体を表し得る。複数の実施形態において、コンピュータ可読記憶媒体６２０は、１又は複数のコンピュータ可読非一時的記憶媒体を含み得る。他の複数の実施形態において、コンピュータ可読記憶媒体６２０は、複数の信号のように一時的であり得、複数の命令６３０で符号化される。
【００６０】
様々な実施形態において、複数の命令６３０は、装置によりそれらを実行することに応じて、装置が、本明細書において説明される様々な動作を実行することを可能とし得る。例として、記憶媒体６２０は、本開示の複数の実施形態に従って、装置、例えば、図２に関連するｅＮＢ２１０に、（例えば、図３の方法３００及び図４の方法４００において示されるような）検知環境を学習し、ＬＢＴプロトコルを選択するいくつかの態様を実施させるように構成された複数の命令６３０を含み得る。
【００６１】
以下の複数の段落は、様々な実施形態の複数の例を説明する。
【００６２】
例１は、ロングタームエボリューションアンライセンススペクトル（ＬＴＥ−Ｕ）環境において使用されるべき、送信機ベースのＬＢＴプロトコル、又は受信機支援のＬＢＴプロトコルである現在のｌｉｓｔｅｎ  ｂｅｆｏｒｅ  ｔａｌｋ（ＬＢＴ）プロトコルを決定する処理回路であって、現在のＬＢＴプロトコルは、処理回路と、処理回路と連結される無線制御回路であって、現在のＬＢＴプロトコルに少なくとも部分的に基づいて信号を生成し、ユーザ機器（ＵＥ）から無線通信デバイスに信号を送信すべく、送受信機回路を制御する無線制御回路と、を備える無線通信のための装置を含み得る。
【００６３】
例２は、例１の主題を含み得、処理回路は、第１の検知結果と第２の検知結果とに少なくとも部分的に基づいて、現在のＬＢＴプロトコルを決定し、第１の検知結果は、アンライセンス無線通信媒体が、装置により複数の時間間隔の第１のセットで検知されるとアイドルであるか否かの指標を含み、第２の検知結果は、アンライセンス無線通信媒体が、複数の時間間隔の第２のセットで無線通信デバイスにより検知されるとアイドルであるか否かの指標を含む。
【００６４】
例３は、例２の主題を含み得、複数の時間間隔の第１のセット及び複数の時間間隔の第２のセットは同一である。
【００６５】
例４は、例２から３のいずれか１つの主題を含み得、処理回路は、第１の検知結果と第２の検知結果との間の相関レベルを決定し、相関レベルに少なくとも部分的に基づいて、現在のＬＢＴプロトコルを決定する。
【００６６】
例５は、例２から４のいずれか１つの主題を含み得、第１の検知結果は、装置により検知されたアンライセンス無線通信媒体が、複数のＬＴＥ−Ｕ送信、複数のＷｉＦｉ送信、又は複数のＬＴＥ−Ｕ送信及び複数のＷｉＦｉ送信の両方に起因してアイドル又はビジーであるかの指標を含み、第２の検知結果は、無線通信デバイスにより検知されたアンライセンス無線通信媒体が、複数のＬＴＥ−Ｕ送信、複数のＷｉＦｉ送信、又は複数のＬＴＥ−Ｕ送信及び複数のＷｉＦｉ送信の両方に起因してアイドル又はビジーであるかの指標を含む。
【００６７】
例６は、例２から５のいずれか１つの主題を含み得、現在のＬＢＴプロトコルは、第１の現在のＬＢＴプロトコルであって、処理回路は、第３の検知結果と第４の検知結果とに少なくとも部分的に基づいて、第２の現在のＬＢＴプロトコルを決定し、第３の検知結果は、アンライセンス無線通信媒体が、複数の時間間隔の第３のセットで装置により検知されるとアイドルであるか否かの指標を含み、第４の検知結果は、アンライセンス無線通信媒体が、複数の時間間隔の第４のセットで無線通信デバイスにより検知されるとアイドルであるか否かの指標を含み、処理回路は、第１の現在のＬＢＴプロトコルの決定に続いて、所定の期間が経過した後に、第２の現在のＬＢＴプロトコルを決定する。
【００６８】
例７は、例１から５のいずれか１つの主題を含み得、無線通信デバイスは、進化型ノードＢ（ｅＮＢ）である。
【００６９】
例８は、例１から５のいずれか１つの主題を含み得、無線通信デバイスは別のＵＥであって、無線制御回路は、デバイスツーデバイス（Ｄ２Ｄ）通信を使用して信号を送信すべく、送受信機回路を制御する。
【００７０】
例９は、処理回路と無線制御回路とを備える進化型ノードＢ（ｅＮＢ）を含み得、処理回路は、ロングタームエボリューションアンライセンススペクトル（ＬＴＥ−Ｕ）環境において使用されるべき、送信機ベースのＬＢＴプロトコル、又は受信機支援のＬＢＴプロトコルであって、現在のｌｉｓｔｅｎ  ｂｅｆｏｒｅ  ｔａｌｋ（ＬＢＴ）プロトコルを決定し、現在のＬＢＴプロトコルに少なくとも部分的に基づいて、ユーザ機器（ＵＥ）への送信のための信号を生成し、処理回路に連結される無線制御回路は、信号をＵＥに送信する。
【００７１】
例１０は、例９の主題を含み得、処理回路は、第１の検知結果と第２の検知結果とに少なくとも部分的に基づいて、現在のＬＢＴプロトコルを決定し、第１の検知結果は、アンライセンス無線通信媒体が、複数の時間間隔の第１のセットでｅＮＢにより検知されるとアイドルであるか否かの指標を含み、第２の検知結果は、アンライセンス無線通信媒体が、複数の時間間隔の第２のセットでＵＥにより検知されるとアイドルであるか否かの指標を含む。
【００７２】
例１１は、例１０の主題を含み得、複数の時間間隔の第１のセット及び複数の時間間隔の第２のセットは同一である。
【００７３】
例１２は、例１０から１１のいずれか１つの主題を含み得、処理回路は、第１の検知結果と第２の検知結果との間の相関レベルを決定し、相関レベルに少なくとも部分的に基づいて、現在のＬＢＴプロトコルを決定する。
【００７４】
例１３は、例１０から１２のいずれか１つの主題を含み得、現在のＬＢＴプロトコルは、第１の現在のＬＢＴプロトコルであって、処理回路は、第３の検知結果と第４の検知結果とに少なくとも部分的に基づいて、第２の現在のＬＢＴプロトコルを決定し、第３の検知結果は、アンライセンス無線通信媒体が、複数の時間間隔の第３のセットでｅＮＢにより検知されるとアイドルであるか否かの指標を含み、第４の検知結果は、アンライセンス無線通信媒体が、複数の時間間隔の第４のセットでＵＥにより検知されるとアイドルであるか否かの指標を含み、処理回路は、第１の現在のＬＢＴプロトコルの決定に続いて、所定の期間が経過した後に、第２の現在のＬＢＴプロトコルを決定する。
【００７５】
例１４は、例１０から１３のいずれか１つの主題を含み得、第１の検知結果は、ｅＮＢにより検知されたアンライセンス無線通信媒体が、複数のＬＴＥ−Ｕ送信、複数のＷｉＦｉ送信、又は複数のＬＴＥ−Ｕ送信及び複数のＷｉＦｉ送信の両方に起因してアイドル又はビジーであるかの指標を含み、第２の検知結果は、ＵＥにより検知されるようなアンライセンス無線通信媒体が、複数のＬＴＥ−Ｕ送信、複数のＷｉＦｉ送信、又は複数のＬＴＥ−Ｕ送信及び複数のＷｉＦｉ送信の両方に起因してアイドル又はビジーであるかの指標を含む。
【００７６】
例１５は、例９から１４のいずれか１つの主題を含み得、処理回路は、ＵＥをレギュラーグループ、又は隠れノードグループのうちの１つに分類し、処理回路は、ＵＥがレギュラーグループ、又は隠れノードグループにあるかに少なくとも部分的に基づいて、現在のＬＢＴプロトコルを決定する。
【００７７】
例１６は、例９から１４のいずれか１つの主題を含み得、処理回路は、ＵＥの位置に少なくとも部分的に基づいて、現在のＬＢＴプロトコルを決定する。
【００７８】
例１７は、無線通信のための方法を含み得、方法は、アンライセンス無線通信媒体がアイドルであるか否かの指標を含む第１の検知結果を生成すべく、第１の無線通信デバイスにより、アンライセンス無線通信媒体を検知する段階と、アンライセンス無線通信媒体が第２の無線通信デバイスにより検知されるとアイドルであるか否かの指標を含む第２の検知結果を、第１の無線通信デバイスにより受信する段階と、ロングタームエボリューションアンライセンススペクトル（ＬＴＥ−Ｕ）環境において使用されるべき現在のｌｉｓｔｅｎ  ｂｅｆｏｒｅ  ｔａｌｋ（ＬＢＴ）プロトコルを、第１の無線通信デバイスにより決定する段階であって、現在のＬＢＴプロトコルは、第１の検知結果と第２の検知結果とに少なくとも部分的に基づいて、送信機ベースのＬＢＴプロトコル、又は受信機支援のＬＢＴプロトコルのうちの１つである段階と、現在のＬＢＴプロトコルに少なくとも部分的に基づいて、第１の無線通信デバイスにより、信号を第２の無線通信デバイスに送信する段階と、を備える。
【００７９】
例１８は、例１７の主題を含み得、第１の無線通信デバイスにより、第１の検知結果と第２の検知結果との間の相関レベルを決定する段階を更に備え、第１の無線通信デバイスは、相関レベルに少なくとも部分的に基づいて、現在のＬＢＴプロトコルを決定する。
【００８０】
例１９は、例１８の主題を含み得、現在のＬＢＴプロトコルを決定する段階は、相関レベルが、所定の閾値よりも下であると決定されることに応じて、現在のＬＢＴプロトコルが、受信機支援のＬＢＴプロトコルであることを、第１の無線通信デバイスにより決定する段階を含む。
【００８１】
例２０は、例１８から１９のいずれか１つの主題を含み得、現在のＬＢＴプロトコルは、第１の現在のＬＢＴプロトコルであって、方法は、第１の現在のＬＢＴプロトコルの決定に続いて、所定の期間が経過した後で、第１の無線通信デバイスにより、第２のＬＢＴプロトコルを決定する段階を更に備える。
【００８２】
例２１は、少なくとも１つの非一時的コンピュータ可読媒体を含み得、その上に格納された複数の命令を備え、複数の命令は、第１の無線通信デバイスの１又は複数のプロセッサによる複数の命令の実行に応じて、第１の無線通信デバイスに、アンライセンス無線通信媒体がアイドルであるか否かの指標を含む第１の検知結果を生成すべく、アンライセンス無線通信媒体を検知させ、アンライセンス無線通信媒体が、第２の無線通信デバイスにより検知されるとアイドルであるか否かの指標を含む第２の検知結果を受信させ、ロングタームエボリューションアンライセンススペクトル（ＬＴＥ−Ｕ）環境において使用されるべき現在のｌｉｓｔｅｎ  ｂｅｆｏｒｅ  ｔａｌｋ（ＬＢＴ）プロトコルを決定させ、現在のＬＢＴプロトコルは、第１の検知結果と第２の検知結果とに少なくとも部分的に基づいて、送信機ベースのＬＢＴプロトコル、又は受信機支援のＬＢＴプロトコルのうちの１つであって、現在のＬＢＴプロトコルに少なくとも部分的に基づいて、信号を第２の無線通信デバイスに送信させる。
【００８３】
例２２は、例２１の主題を含み得、第１の無線通信デバイスは更に、第１の検知結果と第２の検知結果との間の相関レベルを決定させられ、第１の無線通信デバイスは、相関レベルに少なくとも部分的に基づいて、現在のＬＢＴプロトコルを決定する。
【００８４】
例２３は、例２２の主題を含み得、第１の無線通信デバイスは更に、相関レベルが、所定の閾値よりも下であると決定されたことに応じて、現在のＬＢＴプロトコルが、受信機支援のＬＢＴプロトコルであることを決定させられる。
【００８５】
例２４は、例２２から２３のいずれか１つの主題を含み得、現在のＬＢＴプロトコルは、第１の現在のＬＢＴプロトコルであって、第１の無線通信デバイスは更に、第１の現在のＬＢＴプロトコルの決定に続いて、所定の期間が経過した後に、第２のＬＢＴプロトコルを決定させられる。
【００８６】
例２５は、アンライセンス無線通信媒体がアイドルであるか否かの指標を含む第１の検知結果を生成すべく、アンライセンス無線通信媒体を検知する手段と、アンライセンス無線通信媒体が、第２の無線通信デバイスにより検知されるとアイドルであるか否かの指標を含む第２の検知結果を受信する手段と、ロングタームエボリューションアンライセンススペクトル（ＬＴＥ−Ｕ）環境において使用されるべき現在のｌｉｓｔｅｎ  ｂｅｆｏｒｅ  ｔａｌｋ（ＬＢＴ）プロトコルを決定する手段であって、現在のＬＢＴプロトコルは、第１の検知結果と第２の検知結果とに少なくとも部分的に基づいて、送信機ベースのＬＢＴプロトコル又は受信機支援のＬＢＴプロトコルのうちの１つである手段と、現在のＬＢＴプロトコルに少なくとも部分的に基づいて、信号を第２の無線通信デバイスに送信する手段と、を備える無線通信デバイスを含み得る。
【００８７】
例２６は、例２５の主題を含み得、第１の検知結果と第２の検知結果との間の相関レベルを決定する手段を更に備え、現在のＬＢＴプロトコルを決定する手段は、相関レベルに少なくとも部分的に基づいて、現在のＬＢＴプロトコルを決定する。
【００８８】
例２７は、例２６の主題を含み得、現在のＬＢＴプロトコルを決定する手段は、相関レベルが、所定の閾値よりも下であると決定されたことに応じて、現在のＬＢＴプロトコルが受信機支援のＬＢＴプロトコルであることを決定する。
【００８９】
例２８は、例２６から２７のいずれか１つの主題を含み得、現在のＬＢＴプロトコルは第１の現在のＬＢＴプロトコルであって、無線通信デバイスは、第１の現在のＬＢＴプロトコルの決定に続いて、所定の期間が経過した後で、第２のＬＢＴプロトコルを決定する手段を更に備える。
【００９０】
例２９は、少なくとも１つの非一時的コンピュータ可読媒体を含み得、その上に格納された複数の命令を備え、複数の命令は、ユーザ機器（ＵＥ）の１又は複数のプロセッサによる複数の命令の実行に応じて、ＵＥに、アンライセンス無線通信媒体がアイドルであるか否かの指標を含む第１の検知結果を生成すべく、アンライセンス無線通信媒体を検知させ、アンライセンス無線通信媒体が、進化型ノードＢ（ｅＮＢ）により検知されるとアイドルであるか否かの指標を含む第２の検知結果を、ｅＮＢから受信させ、第１の検知結果と第２の検知結果とに少なくとも部分的に基づいて、ＵＥが相関グループの一部であるか否かを決定させる。
【００９１】
例３０は、例２９の主題を含み得、ＵＥは更に、第１の検知結果と第２の検知結果との間の相関レベルを決定させられ、相関レベルに少なくとも部分的に基づいて、ＵＥが相関グループの一部であるか否かを決定する。
【００９２】
例３１は、例３０の主題を含み得、相関レベルが、所定の閾値より大きいか又は等しいと決定されたことに応じて、ＵＥが相関グループの一部であることを決定する。
【００９３】
例３２は、例２９から３１のいずれか１つの主題を含み得、ＵＥは更に、相関グループの一部であるか否かを示す信号をｅＮＢに送信させられる。
【００９４】
例３３は、例２９から３２の複数の方法のいずれか１つを実行するための手段を備える、無線通信デバイスを含み得る。
【００９５】
要約書において説明されるものを含む、示された複数の実装の本明細書における説明は、包括的であり、又は本開示を、開示された複数の詳細な形式に限定することを意図していない。複数の特定の実装及び複数の例が、複数の例示を目的として本明細書において説明され、その一方で、同一の目的を実現するよう計算された、様々な代替及び／又は同等である複数の実施形態又は実装は、関連分野の当業者が認識するように、本開示の範囲を逸脱することなく、上記の詳細な説明に照らして行われ得る。
【図１】
0006382332.tif 000002
【図２】
0006382332.tif 000003
【図３】
0006382332.tif 000004
【図４】
0006382332.tif 000005
【図５】
0006382332.tif 000006
【図６】
0006382332.tif 000007